(57)【要約】【課題】洗面所やトイレ等にて使用される手乾燥装置において、手に付着した水滴を効率よく吸引することにより水滴の飛散を防止することができる手乾燥装置を提供することを目的とする。【解決手段】本体内部に設けた吸引手段２と、前記吸引手段２に接続した風路３と、前記風路３に接続した吸引ノズル４と、前記吸引ノズル４に隣接した円筒形状の回転部５と、前記回転部５の表面に複数の突起部６を有し、前記吸引ノズルの上に濡れた手を置き、前記吸引手段２を動作させ、前記吸引ノズル４より手の表面に付着した水滴を吸引することにより、水滴の飛散を抑制できるとともに、前記回転部５を回転させ、前記突起部６が手に当たることにより手を振動させ、手の表面に付着した水分を離れ易くし、効率良く手の表面の水分を除去できる手乾燥装置１が得られる。【選択図】図１
2011101722.tif 000002
【特許請求の範囲】
【請求項１】
本体内部に設けた吸引手段と、前記吸引手段に接続した風路と、前記風路に接続した吸引ノズルと、前記吸引ノズルに隣接した位置に円筒形状の回転部と前記回転部の表面に複数の突起部を有したことを特徴とした手乾燥装置。
【請求項２】
回転部の下部に、清掃手段を設けた請求項１記載の手乾燥装置。
【請求項３】
清掃手段に隣接し、注水手段を設けた請求項１から２のいずれか一つに記載の手乾燥装置。
【請求項４】
回転部の下部が浸漬する消毒槽を設けた請求項１から３のいずれか一つに記載の手乾燥装置。
【請求項５】
回転部の表面に、撥水処理を施した請求項１から４のいずれか一つに記載の手乾燥装置。
【請求項６】
回転部の表面に、親水処理を施した請求項１から４のいずれか一つに記載の手乾燥装置。
【請求項７】
回転部の表面に、弾性材を使用した請求項１から４のいずれか一つに記載の手乾燥装置。
【請求項８】
回転部の表面に、抗菌処理を施した請求項１から４のいずれか一つに記載の手乾燥装置。
【請求項９】
吸引ノズル近傍にオゾン発生装置を設けたことを特徴とした請求項１から８のいずれか一つに記載の手乾燥装置。
【請求項１０】
吸引ノズル近傍にマイナスイオン発生装置を設けたことを特徴とした請求項１から８のいずれか一つに記載の手乾燥装置。
【請求項１１】
風路内部にオゾン発生装置を設けたことを特徴とした請求項１から１０のいずれか一つに記載の手乾燥装置。
【請求項１２】
風路内部にマイナスイオン発生装置を設けたことを特徴とした請求項１から１０のいずれか一つに記載の手乾燥装置。
【請求項１３】
風路内部に殺菌灯を設けたことを特徴とした請求項１から１０のいずれか一つに記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、この種の手乾燥装置では、手の表面に付着した水滴を吸引し、乾燥させるものが知られていた（例えば特許文献１参照）。
【０００３】
以下、その手乾燥装置について図１１を参照しながら説明する。
【０００４】
図に示すように、手乾燥装置１０１は本体内部に設けた吸引手段１０２と、前記吸引手段１０２に接続した風路１０３と、前記風路１０３に接続した吸引ノズル１０４を有し、前記吸引手段１０２を動作させることにより、前記吸引ノズル１０４より手の表面に付着した水滴を吸引し、手を乾燥させるものである。
【先行技術文献】
【特許文献】
【０００５】
【特許文献１】特開２００７−１０５１５５号公報（段落番号００５９、図１）
【発明の概要】
【発明が解決しようとする課題】
【０００６】
このような従来の手乾燥装置の方法では、手に付着した水分を吸引するのに時間がかかるという課題があった。
【０００７】
本発明は、上記従来の課題を解決するもので、本体内部に設けた吸引手段と、前記吸引手段に接続した風路と、前記風路に接続した吸引ノズルと、前記吸引ノズルに隣接した位置に円筒形状の回転部と、前記回転部の表面に複数の突起部を設け、前記吸引ノズルの上に濡れた手を置いた時に、前記吸引ノズルより手の表面に付着した水滴を吸引することができるとともに、前記回転部を回転させ、前記突起部が手に当たることにより手を振動させ、手の表面に付着した水分を離れ易くし、効率良く手の表面の水分を除去できる手乾燥装置を提供することを目的としている。
【課題を解決するための手段】
【０００８】
本発明の手乾燥装置は、上記目的を達成するために、本体内部に設けた吸引手段と、前記吸引手段に接続した風路と、前記風路に接続した吸引ノズルと、前記吸引ノズルに隣接した位置に円筒形状の回転部と、前記回転部の表面に複数の突起部を有する構成としたものである。
【０００９】
この手段により、吸引手段を動作させ、吸引ノズルより手の表面に付着した水滴を吸引することにより、水滴の飛散を抑制するともに、回転部を回転させ、突起部が手に当たることにより手を振動させ、効率良く手の表面の水分を除去できる手乾燥装置が得られる。
【００１０】
また、回転部の下部に清掃手段を設けたものである。
【００１１】
この手段により、回転部の表面を、清潔に保つことができる手乾燥装置が得られる。
【００１２】
また、清掃手段に隣接し、注水手段を設けたものである。
【００１３】
この手段により、回転部を水洗いでき、前記回転部の表面を、清潔に保つことができる手乾燥装置が得られる。
【００１４】
また、回転部の下部に消毒槽を設けたものである。
【００１５】
この手段により、回転部の表面を、清潔に保つことができる手乾燥装置が得られる。
【００１６】
また、回転部の表面に、撥水処理を施したものである。
【００１７】
この手段により、回転部に水分が付着しにくくなり、人の手が触れる前記回転部の表面を、清潔に保つことができる手乾燥装置が得られる。
【００１８】
また、回転部の表面に、親水処理を施したものである。
【００１９】
この手段により、手に付着した水分を吸着し易くなり、効率的に乾燥させることができる手乾燥装置が得られる。
【００２０】
また、回転部の表面に、弾性材を使用したものである。
【００２１】
この手段により、手が回転部に密着し、手に付着した水分を拭き取り易くなり、効率的に乾燥させることができる手乾燥装置が得られる。
【００２２】
また、回転部の表面に、抗菌処理を施したものである。
【００２３】
この手段により、回転部の表面に細菌が繁殖し難くなり、人の手が触れる前記回転部の表面を清潔に保つことができる手乾燥装置が得られる。
【００２４】
また、吸引ノズルおよび回転部の近傍にオゾン発生装置を設けたものである。
【００２５】
この手段により、オゾンを発生させることにより細菌が繁殖し難くなり、吸引ノズルおよび回転部を清潔に保つことができる手乾燥装置が得られる。
【００２６】
また、吸引ノズルおよび回転部の近傍にマイナスイオン発生装置を設けたものである。
【００２７】
この手段により、マイナスイオンを発生させることにより細菌が繁殖し難くなり、吸引ノズルおよび回転部を清潔に保つことができる手乾燥装置が得られる。
【００２８】
また、風路内部にオゾン発生装置を設けたものである。
【００２９】
この手段により、オゾンを発生させることにより細菌が繁殖し難くなり、風路内部を清潔に保つことができる手乾燥装置が得られる。
【００３０】
また、風路内部にマイナスイオン発生装置を設けたものである。
【００３１】
この手段により、マイナスイオンを発生させることにより細菌が繁殖し難くなり、風路内部を清潔に保つことができる手乾燥装置が得られる。
【００３２】
また、風路内部に殺菌灯を設けたものである。
【００３３】
この手段により、紫外線を照射することにより細菌が繁殖し難くなり、風路内部を清潔に保つことができる手乾燥装置が得られる。
【発明の効果】
【００３４】
本発明によれば、本体内部に設けた吸引手段と、前記吸引手段に接続した風路と、前記風路に接続した吸引ノズルと、前記吸引ノズルに隣接した位置に円筒形状の回転部と、前記回転部の表面に複数の突起部を有し、前記吸引手段を動作させ、前記吸引ノズルより手の表面に付着した水滴を吸引することにより、水滴の飛散を抑制するとともに、前記回転部を回転させ、前記突起部が手に当たることにより手を振動させ、手の表面に付着した水分を離れ易くし、効率良く手の表面の水分を除去できる手乾燥装置を提供できる。
【図面の簡単な説明】
【００３５】
【図１】本発明の実施の形態１の手乾燥装置の構成を示す概略図
【図２】本発明の実施の形態２の手乾燥装置の構成を示す概略図
【図３】本発明の実施の形態３の手乾燥装置の構成を示す概略図
【図４】本発明の実施の形態４の手乾燥装置の構成を示す概略図
【図５】本発明の実施の形態５、６、７、８の手乾燥装置の構成を示す概略図
【図６】本発明の実施の形態９の手乾燥装置の構成を示す概略図
【図７】本発明の実施の形態１０の手乾燥装置の構成を示す概略図
【図８】本発明の実施の形態１１の手乾燥装置の構成を示す概略図
【図９】本発明の実施の形態１２の手乾燥装置の構成を示す概略図
【図１０】本発明の実施の形態１３の手乾燥装置の構成を示す概略図
【図１１】従来の手乾燥装置の構成を示す概略図
【発明を実施するための形態】
【００３６】
本発明の請求項１記載の発明は、本体内部に設けた吸引手段と、前記吸引手段に接続した風路と、前記風路に接続した吸引ノズルと、前記吸引ノズルに隣接した位置に円筒形状の回転部と、前記回転部の表面に複数の突起部を有し、前記吸引ノズルの上に濡れた手を置き、前記吸引手段を動作させ、前記吸引ノズルより手の表面に付着した水滴を吸引することにより、水滴の飛散を抑制することができる作用と、前記回転部を回転させ、前記突起部が手に当たることにより手を振動させ、手の表面に付着した水分を離れ易くし、効率良く手の表面の水分を除去できる作用を有する。
【００３７】
また、回転部の下部に清掃手段を設けたものであり、前記回転部の表面を、清潔に保つことができる作用を有する。
【００３８】
また、清掃手段に隣接し、注水手段を設けたものであり、回転部を水洗いすることにより、前記回転部の表面を、清潔に保つことができる作用を有する。
【００３９】
また、回転部の下部に消毒槽を設けたものであり、前記回転部の表面を、清潔に保つことができる作用を有する。
【００４０】
また、回転部の表面に、撥水処理を施したものであり、前記回転部に水分が付着しにくくなり、人の手が触れる前記回転部の表面を、清潔に保つことができる作用を有する。
【００４１】
また、回転部の表面に、親水処理を施したものであり、手に付着した水分を吸着し易くなり、効率的に乾燥させることができる作用を有する。
【００４２】
また、回転部の表面に、弾性材を使用したものであり、手が前記回転部に密着し、手に付着した水分を拭き取り易くなり、効率的に乾燥させることができる作用を有する。
【００４３】
また、回転部の表面に、抗菌処理を施したものであり、前記回転部の表面に細菌が繁殖し難くなり、人の手が触れる前記回転部を清潔に保つことができる作用を有する。
【００４４】
また、吸引ノズルおよび回転部の近傍にオゾン発生装置を設けたものであり、オゾンを発生させることにより細菌が繁殖し難くなり、前記吸引ノズルおよび回転部を清潔に保つことができる作用を有する。
【００４５】
また、吸引ノズルおよび回転部の近傍にマイナスイオン発生装置を設けたものであり、マイナスイオンを発生させることにより細菌が繁殖し難くなり、前記吸引ノズルおよび回転部を清潔に保つことができる作用を有する。
【００４６】
また、風路内部にオゾン発生装置を設けたものであり、オゾンを発生させることにより細菌が繁殖し難くなり、前記風路内部を清潔に保つことができる作用を有する。
【００４７】
また、風路内部にマイナスイオン発生装置を設けたものであり、マイナスイオンを発生させることにより細菌が繁殖し難くなり、前記風路内部を清潔に保つことができる作用を有する。
【００４８】
また、風路内部に殺菌灯を設けたものであり、紫外線を照射することにより細菌が繁殖し難くなり、前記風路内部を清潔に保つことができる作用を有する。
【００４９】
以下、本発明の実施の形態について図面を参照しながら説明する。
【００５０】
（実施の形態１）
図１に示すように、手乾燥装置１は内部に吸引手段２、たとえば吸引ポンプと、前記吸引手段２に接続した風路３と、前記風路３に接続した吸引ノズル４と、前記吸引ノズル４に隣接した位置に設けられた円筒形状の回転部５と、前記回転部５の表面に設けられた複数の突起部６により構成される。
【００５１】
上記構成において、前記吸引ノズル４の上に濡れた手を置き、前記吸引手段２を動作させ、前記吸引ノズル４より手の表面に付着した水滴を吸引することにより、水滴の飛散を抑制できるとともに、前記回転部５を回転させ、前記突起部６が手に当たることにより手を振動させ、手の表面に付着した水分を離れ易くし、効率良く手の表面の水分を除去できる。
【００５２】
なお、本実施の形態１では、吸引ノズルが１個の手乾燥装置としているが、吸引ノズルを複数設け、手の両面より吸引する手乾燥装置においても同様の作用効果をもたらすことは言うまでもない。
【００５３】
（実施の形態２）
次に、本発明の実施の形態２について図面を参照しながら説明する。なお，実施の形態１と同一のものは同一番号を付し、その詳細な説明を省略する。
【００５４】
図２に示すように、手乾燥装置１は内部に吸引手段２、たとえば吸引ポンプと、前記吸引手段２に接続した風路３と、前記風路３に接続した吸引ノズル４と、前記吸引ノズル４に隣接した位置に設けられた円筒形状の回転部５と、前記回転部５の表面に設けられた複数の突起部６と、前記回転部５の下部に設けられた、たとえば清掃ブラシによる清掃手段７により構成される。
【００５５】
上記構成において、前記吸引ノズル４の上に濡れた手を置き、前記吸引手段２を動作させ、前記吸引ノズル４より手の表面に付着した水滴を吸引することにより、水滴の飛散を抑制でき、前記回転部５を回転させ、前記突起部６が手に当たることにより手を振動させ、手の表面に付着した水分を離れ易くし、効率良く手の表面の水分を除去でき、前記回転部５を回転させながら、前記清掃手段７を動作させることにより、前記回転部５の表面を、清潔に保つことできる。
【００５６】
（実施の形態３）
次に、本発明の実施の形態３について図面を参照しながら説明する。なお，実施の形態１、２と同一のものは同一番号を付し、その詳細な説明を省略する。
【００５７】
図３に示すように、手乾燥装置１は内部に吸引手段２、たとえば吸引ポンプと、前記吸引手段２に接続した風路３と、前記風路３に接続した吸引ノズル４と、前記吸引ノズル４に隣接した位置に設けられた円筒形状の回転部５と、前記回転部５の表面に設けられた複数の突起部６と、前記回転部５の下部に設けられた、たとえば清掃ブラシによる清掃手段７と、前記清掃手段７に隣接した注水手段８により構成される。
【００５８】
上記構成において、前記吸引ノズル４の上に濡れた手を置き、前記吸引手段２を動作させ、前記吸引ノズル４より手の表面に付着した水滴を吸引することにより、水滴の飛散を抑制でき、前記回転部５を回転させ、前記突起部６が手に当たることにより手を振動させ、手の表面に付着した水分を離れ易くし、効率良く手の表面の水分を除去でき、前記回転部５を回転させながら、前記注水手段８を動作させ、前記清掃手段７を動作させることにより、前記回転部５を水洗いすることができ、人の手が触れる前記回転部５の表面を、清潔に保つことできる。
【００５９】
（実施の形態４）
次に、本発明の実施の形態４について図面を参照しながら説明する。なお，実施の形態１、２、３と同一のものは同一番号を付し、その詳細な説明を省略する。
【００６０】
図４に示すように、手乾燥装置１は内部に吸引手段２、たとえば吸引ポンプと、前記吸引手段２に接続した風路３と、前記風路３に接続した吸引ノズル４と、前記吸引ノズル４に隣接した位置に設けられた円筒形状の回転部５と、前記回転部５の表面に設けられた複数の突起部６と、前記回転部５の下部に設けられた、たとえばエタノールを使用した消毒槽９により構成される。
【００６１】
上記構成において、前記吸引ノズル４の上に濡れた手を置き、前記吸引手段２を動作させ、前記吸引ノズル４より手の表面に付着した水滴を吸引することにより、水滴の飛散を抑制でき、回転部５を回転させ、前記突起部６が手に当たることにより手を振動させ、手の表面に付着した水分を離れ易くし、効率良く手の表面の水分を除去でき、前記回転部５を回転させながら、前記消毒槽９に浸漬させることにより、前記回転部５の表面を、清潔に保つことできる。
【００６２】
（実施の形態５）
次に、本発明の実施の形態５について図面を参照しながら説明する。なお，実施の形態１，２、３、４と同一のものは同一番号を付し、その詳細な説明を省略する。
【００６３】
図５に示すように、手乾燥装置１は内部に吸引手段２と、前記吸引手段２に接続した風路３と、前記風路３に接続した吸引ノズル４と、前記吸引ノズル４に隣接した位置に設けられ、表面を撥水処理、たとえばフッ素コーティングされた円筒形状の回転部５と、前記回転部５の表面に設けられた複数の突起部６により構成される。
【００６４】
上記構成において、前記吸引ノズル４の上に濡れた手を置き、前記吸引手段２を動作させ、前記吸引ノズル４より手の表面に付着した水滴を吸引することにより、水滴の飛散を抑制でき、回転部５を回転させ、前記突起部６が手に当たることにより手を振動させ、手の表面に付着した水分を離れ易くし、効率良く手の表面の水分を除去でき、撥水処理により前記回転部５に水分が付着しにくくなり、人の手が触れる前記回転部５の表面を清潔に保つことできる。
【００６５】
（実施の形態６）
次に、本発明の実施の形態６について図面を参照しながら説明する。なお、実施の形態１、２、３、４、５と同一のものは同一番号を付し、その詳細な説明を省略する。
【００６６】
図５に示すように、手乾燥装置１は内部に吸引手段２と、前記吸引手段２に接続した風路３と、前記風路３に接続した吸引ノズル４と、前記吸引ノズル４に隣接した位置に設けられ、表面を親水処理、たとえば光触媒処理された円筒形状の回転部５と、前記回転部５の表面に設けられた複数の突起部６により構成される。
【００６７】
上記構成において、前記吸引ノズル４の上に濡れた手を置き、前記吸引手段２を動作させ、前記吸引ノズル４より手の表面に付着した水滴を吸引することにより、水滴の飛散を抑制でき、回転部５を回転させ、前記突起部６が手に当たることにより手を振動させ、手の表面に付着した水分を離れ易くし、効率良く手の表面の水分を除去でき、前記回転部５の表面に、親水処理を施したものであり、手に付着した水分を吸着し易くなり、効率的に乾燥させることができる。
【００６８】
（実施の形態７）
次に、本発明の実施の形態７について図面を参照しながら説明する。なお、実施の形態１、２、３、４、５、６と同一のものは同一番号を付し、その詳細な説明を省略する。
【００６９】
図５に示すように、手乾燥装置１は内部に吸引手段２と、前記吸引手段２に接続した風路３と、前記風路３に接続した吸引ノズル４と、前記吸引ノズル４に隣接した位置に設けられ、表面を弾性材、たとえばゴムでできた円筒形状の回転部５と、前記回転部５の表面に設けられた複数の突起部６により構成される。
【００７０】
上記構成において、前記吸引ノズル４の上に濡れた手を置き、前記吸引手段２を動作させ、前記吸引ノズル４より手の表面に付着した水滴を吸引することにより、水滴の飛散を抑制でき、回転部５を回転させ、前記突起部６が手に当たることにより手を振動させ、手の表面に付着した水分を離れ易くし、効率良く手の表面の水分を除去でき、前記回転部５に、弾性材を使用したものであり、手が密着し、手に付着した水分を吸着し易くなり、効率的に乾燥させることができる。
【００７１】
（実施の形態８）
次に、本発明の実施の形態８について図面を参照しながら説明する。なお、実施の形態１、２、３、４、５、６、７と同一のものは同一番号を付し、その詳細な説明を省略する。
【００７２】
図５に示すように、手乾燥装置１は内部に吸引手段２と、前記吸引手段２に接続した風路３と、前記風路３に接続した吸引ノズル４と、前記吸引ノズル４に隣接した位置に設けられ、表面を抗菌処理、たとえば銀イオン処理された円筒形状の回転部５と、前記回転部５の表面に設けられた複数の突起部６により構成される。
【００７３】
上記構成において、前記吸引ノズル４の上に濡れた手を置き、前記吸引手段２を動作させ、前記吸引ノズル４より手の表面に付着した水滴を吸引することにより、水滴の飛散を抑制でき、回転部５を回転させ、前記突起部６が手に当たることにより手を振動させ、手の表面に付着した水分を離れ易くし、効率良く手の表面の水分を除去でき、前記回転部５の表面に、抗菌処理を施したものであり、前記回転部５の表面に細菌が繁殖し難くなり、人の手が触れる前記回転部５の表面を清潔に保つことができる。
【００７４】
（実施の形態９）
次に、本発明の実施の形態９について図面を参照しながら説明する。なお、実施の形態１、２、３、４、５、６、７、８と同一のものは同一番号を付し、その詳細な説明を省略する。
【００７５】
図６に示すように、手乾燥装置１は内部に吸引手段２と、前記吸引手段２に接続した風路３と、前記風路３に接続した吸引ノズル４と、前記吸引ノズル４に隣接した位置に設けられた円筒形状の回転部５と、前記回転部５の表面に設けられた複数の突起部６と、前記吸引ノズル４および前記回転部５の近傍に設置されたオゾン発生装置１０により構成される。
【００７６】
上記構成において、前記オゾン発生装置１０を動作させることにより発生したオゾンが、前記吸引ノズル４および前記回転部５での雑菌の繁殖を抑制し、前記吸引ノズル４および前記回転部５を清潔に保つことができる。
【００７７】
（実施の形態１０）
次に、発明の実施の形態１０について図面を参照しながら説明する。なお、施の形態１、２、３、４、５、６、７、８、９と同一のものは同一番号を付し、その詳細な説明を省略する。
【００７８】
図７に示すように、手乾燥装置１は内部に吸引手段２と、前記吸引手段２に接続した風路３と、前記風路３に接続した吸引ノズル４と、前記吸引ノズル４に隣接した位置に設けられた円筒形状の回転部５と、前記回転部５の表面に設けられた複数の突起部６と、前記吸引ノズル４および前記回転部５の近傍に設置されたマイナスイオン発生装置１１により構成される。
【００７９】
上記構成において、マイナスイオン発生装置１１を動作させることにより発生したマイナスイオンが、前記吸引ノズル４および前記回転部５での雑菌の繁殖を抑制し、前記吸引ノズル４および前記回転部５を清潔に保つことができる。
【００８０】
（実施の形態１１）
次に、本発明の実施の形態１１について図面を参照しながら説明する。なお、実施の形態１、２、３、４、５、６、７、８、９、１０と同一のものは同一番号を付し、その詳細な説明を省略する。
【００８１】
図８に示すように、手乾燥装置１は内部に吸引手段２と、前記吸引手段２に接続した風路３と、前記風路３に接続した吸引ノズル４と、前記吸引ノズル４に隣接した位置に設けられた円筒形状の回転部５と、前記回転部５の表面に設けられた複数の突起部６と、前記風路３の内部に設置されたオゾン発生装置１０により構成される。
【００８２】
上記構成において、前記オゾン発生装置１０を動作させることにより発生したオゾンが、前記風路３内部での雑菌の繁殖を抑制し、前記風路３内部を清潔に保つことができる。
【００８３】
（実施の形態１２）
次に、本発明の実施の形態１２について図面を参照しながら説明する。なお、実施の形態１、２、３、４、５、６、７、８、９、１０、１１と同一のものは同一番号を付し、その詳細な説明を省略する。
【００８４】
図９に示すように、手乾燥装置１は内部に吸引手段２と、前記吸引手段２に接続した風路３と、前記風路３に接続した吸引ノズル４と、前記吸引ノズル４に隣接した位置に設けられた円筒形状の回転部５と、前記回転部５の表面に設けられた複数の突起部６と、前記風路３の内部に設置されたマイナスイオン発生装置１１により構成される。
【００８５】
上記構成において、前記マイナスイオン発生装置１１を動作させることにより発生したマイナスイオンが、前記風路３内部での雑菌の繁殖を抑制し、前記風路３内部を清潔に保つことができる。
【００８６】
（実施の形態１３）
次に、本発明の実施の形態１３について図面を参照しながら説明する。なお、実施の形態１、２、３、４、５、６、７、８、９、１０、１１、１２と同一のものは同一番号を付し、その詳細な説明を省略する。
【００８７】
図１０に示すように、手乾燥装置１は内部に吸引手段２と、前記吸引手段２に接続した風路３と、前記風路３に接続した吸引ノズル４と、前記吸引ノズル４に隣接した位置に設けられた円筒形状の回転部５と、前記回転部５の表面に設けられた複数の突起部６と、前記風路３の内部に設置された殺菌灯１２により構成される。
【００８８】
上記構成において、前記殺菌灯１２を点灯させることにより発生した紫外線が、前記風路３内部での雑菌の繁殖を抑制し、前記風路３内部を清潔に保つことができる。
【産業上の利用可能性】
【００８９】
水滴の飛散を防止した効率的な乾燥ができることにより、水洗いした後の乾燥手法において、水滴の飛散を防止した効率的な乾燥を行うことができる。
【符号の説明】
【００９０】
１      手乾燥装置
２      吸引手段
３      風路
４      吸引ノズル
５      回転部
６      突起部
７      清掃手段
８      注水手段
９      消毒槽
１０    オゾン発生装置
１１    マイナスイオン発生装置
１２    殺菌灯
１０１  手乾燥装置
１０２  吸引手段
１０３  風路
１０４  吸引ノズル
【図１】
2011101722.tif 000003
【図２】
2011101722.tif 000004
【図３】
2011101722.tif 000005
【図４】
2011101722.tif 000006
【図５】
2011101722.tif 000007
【図６】
2011101722.tif 000008
【図７】
2011101722.tif 000009
【図８】
2011101722.tif 000010
【図９】
2011101722.tif 000011
【図１０】
2011101722.tif 000012
【図１１】
2011101722.tif 000013